(57)【特許請求の範囲】
【請求項１】
防湿層に切込みが入れられ、この切込みの背後の繊維系断熱層の凹所に、配線導通部を形成する硬質の下地材が奥行き方向へ動きを規制される態様で設置され、この下地材を下地として、防湿テープが貼り付けられて前記切込みが塞がれていることを特徴とする、背後に繊維系断熱層を備えた防湿層に対する配線構造。
【請求項２】
前記下地材の側面部が防湿層背後の桟に固着されることで、下地材が奥行き方向へ動きを規制されている請求項１に記載の配線構造。
【請求項３】
前記下地材の背後に桟が存在し、この桟が下地材を背後から支えることで、下地材が奥行き方向へ動きを規制されている請求項１又は２に記載の配線のための構造。
【請求項４】
前記下地材が断熱構造のものからなっている請求項１乃至３のいずれか１に記載の配線のための構造。
【発明の詳細な説明】
【０００１】
【発明の属する技術分野】
本発明は、背後に繊維系断熱層を備えた防湿層に対する配線のための構造に関する。
【０００２】
【従来の技術】
例えば、住宅等の建物では、室内の水蒸気が壁の内部に侵入して結露を生じてしまうのを防ぐ目的で、内装ボードと壁内の繊維系断熱層との間の領域に、繊維系断熱層の側に沿うように防湿層が設けられている。その場合に、電気や通信等のための壁内配線は、防湿層と内装ボードとの間に配線スペースを確保することができないときは、防湿層の背後に通す必要がある。
【０００３】
そのような場合の配線工法として、従来より、防湿層にカッターで切込みを入れ、この切込みを通じて防湿層の背後に配線を行い、配線後に防湿層の切込み部を防湿テープで塞ぐことが行われている。
【０００４】
【発明が解決しようとする課題】
しかしながら、この配線工法では、防湿テープの貼付けが非常に難しく、作業に慎重さと熟練を必要とするという問題があった。即ち、防湿層の背後には、押せばへこむ繊維系断熱層が存在しており、そのため、防湿層の切込み部に防湿テープを貼り付けようとすると、繊維系断熱層がへこんで、うまい具合に貼り付けるのに手間を要した。仮に、防湿テープの貼付けが杜撰に行われたなら、防湿層の連続性は保たれず、壁内に結露を生じさせてしまう結果となるのであり、
特段の注意を払って慎重にテープ止めをしていく必要があった。
【０００５】
本発明は、上記のような問題点に鑑み、例えば上記のような場合において、防湿テープを、防湿層の連続性を損なわせることなく、かつ、極めて容易に貼り付けることができる、背後に繊維系断熱層を備えた防湿層に対する配線のための構造を提供することを課題とする。
【０００６】
【課題を解決するための手段】
上記の課題は、防湿層に切込みが入れられ、この切込みの背後の繊維系断熱層の凹所に、配線導通部を形成する硬質の下地材が奥行き方向へ動きを規制される態様で設置され、この下地材を下地として、防湿テープが貼り付けられて前記切込みが塞がれていることを特徴とする、背後に繊維系断熱層を備えた防湿層に対する配線のための構造によって解決される。
【０００７】
この構造では、防湿層の切込みを防湿テープで塞ぐに際して、切込みの背後には、下地材が奥行き方向への動きを規制される態様で備えられているから、この下地材を下地として防湿テープの貼付けを行うことができ、そのため、防湿層の背後が繊維系断熱層であるにもかかわらず、防湿テープを、防湿層の連続性を損なわせることなく、かつ、極めて容易に貼り付けることができる。
【０００８】
なお、上記の配線は、防湿テープの貼付け前に行うようにしてもよいし、防湿テープ貼付け後に行うようにしてもよい。また、上記の「配線」の語は、電気や通信等の線のほか、設備管などををも含む意味において使用している。
【０００９】
この場合に、奥行き方向への下地材の動きを規制するための手段として、下地材の側面部を防湿層背後の桟に固着することや、下地材の背後に存在する桟に下地材をその背後から支えさせることが行われてよい。
【００１０】
また、上記の下地材に断熱構造のものからなっている場合は、下地材の設置に起因して生じる繊維系断熱層の凹所部分の断熱性能が損なわれるのを防ぐことができる。
【００１１】
【発明の実施の形態】
次に、本発明の実施形態を図面に基づいて説明する。
【００１２】
図１乃至図７に示す実施形態は、建物の屋外側に面する壁の内部に配線を行う場合についてのもので、図１及び図２に示すように、１は外壁パネルフレームであり、このパネルフレーム１の屋内側の面部には、図示しない内装ボードを取り付けるための半間仕切り桟２が取り付けられ、パネルフレーム１の内部のみならず、半間仕切り桟２で囲まれた内部にも繊維系断熱材が入れられて、繊維系断熱層３が形成されている。そして、防湿シートによる防湿層４が、この繊維系断熱層３を屋外側とし、また、半間仕切り桟２やパネルフレーム１も屋外側とするように備えられている。
【００１３】
このように、本実施形態では、半間仕切り桟２で囲まれた内部に繊維系断熱層３が存在し、その屋内側に防湿層４が備えられて、防湿層４と内装ボードとの間に配線スペースを確保できない場合を対象としている。そして、この壁構造において、図２（イ）に示すように、天井側の配線５を、半間仕切り縦桟２ａと隣接する領域において、壁の下寄りの高さ位置まで配線する。これを次のようにして行う。
【００１４】
即ち、図４（イ）（ロ）に示すように、配線を通す領域において、屋内の側から、カッターで防湿層４に上下方向の切込み６を入れる。しかる後、図５（ハ）に示すように、切込み６の背後に存在する繊維系断熱層３を一部カットして凹所７を形成する。この凹所７は、パネルフレーム１内の中桟１ａに達する程度の深さ寸法を備え、かつ、凹所７内には、その一方の側部に半間仕切り縦桟２ａが面するようになされている。この凹所７内に、図５（ニ）に示すように、下地材８を設置する。なお、１８は外壁面材、１９は柱である。
【００１５】
下地材８は、図３（イ）に示すように、樹脂系材料あるいは金属系材料などでつくられた硬質のリップ８ａ付き溝形品からなっていて、溝内の底側には断熱材９が入れられ、この断熱材９よりも手前側の溝内空間部を配線導通部１０としている。
【００１６】
この下地材８を、図５（ニ）に示すように、その開口側を屋内に向けるようにして上記の凹所７内に入れ、その底板部８ａをパネルフレーム１の中桟１ａに当て、かつ、リップ８ａの備えられていない側の側板部８ｃを半間仕切り縦桟２ａにビス１１で止めつけた状態にして設置する。その設置状態において、リップ８ａは配線導通部１０を挟んで半間仕切り縦桟２ａとは反対の側に位置している。
【００１７】
また、これと相前後して、図６（イ）に示すように、上側の半間仕切り横桟２ｂに防湿層４を含めて上下方向に貫通する配線導通孔１２，１２を明け、半間仕切り横桟２ｂの上面部の防湿層４の上に、配線導通孔１２，１２を塞ぐように防湿補助板１３を貼り付ける。
【００１８】
この防湿補助板１３は、図３（ロ−１）（ロ−２）に示すように、樹脂系あるいは金属系の基板１４に配線導通孔１５，１５が明けられ、この基板１４の下面側にエプトシーラー（商品名）などからなるゴム状の面状シール材１６が貼り付けられ、この面状シール材１６によって、基板１４の配線導通孔１５，１５が塞がれた構造となっているものである。
【００１９】
このような防湿補助板１３が、図６（ロ）に示すように、その配線導通孔１５，１５を、半間仕切り横桟２ｂの配線導通孔１２，１２と一致させるように、半間仕切り横桟２ｂの上面部の防湿層４の上に貼り付ける。これにより、防湿層４に明けられた孔は、防湿補助板１３の面状シール材１６によって塞がれる。
【００２０】
しかる後、図７（イ）に示すように、天井側からの配線５，５を、防湿補助板１３の配線導通孔１５，１５に差し込んで面状シール材１６を貫通させ、半間仕切り横桟２ｂの配線導通孔１２，１２を通じて、下地材８の配線導通部１０内へと導通させ、防湿層４の切込み６を開いて、この配線５，５を壁の下寄りの高さ位置へと延ばしていく。配線５を貫通させた防湿補助板１３の面状シール材１６は、そのゴム性によって、配線５，５の外周部に密着し、それによって防湿性が確保される。
【００２１】
こうして、配線を終えた後、図７（ロ）及び図８に示すように、防湿テープ１７を貼り付け、防湿層４の切込み６を塞ぐ。防湿テープ１７の貼付け部分には、防湿層４の背後に位置して下地材８が存在し、この下地材８の配線導通部１０を挟む一方の側には下地材８のリップ８ａが、もう一方の側には半間仕切り縦桟２ａが存在しており、かつ、下地材８はこの半間仕切り縦桟２ａに止め付けられ、かつ、下地材８のすぐ背後にはパネルフレーム１の中桟１ａが存在しているので、防湿テープ１７をこの下地材８を下地としてきれいに貼り付けていくことができる。なお、図２（ロ）において、２０はコンセント関係品である。
【００２２】
このように、上記の構造では、防湿層４の切込み６を防湿テープで塞ぐに際して、切込み６の背後には、下地材８が奥行き方向への動きを規制される態様で備えられているから、この下地材８を下地として防湿テープ１７の貼付けを行うことができ、そのため、防湿層４の背後が繊維系断熱層３であるにもかかわらず、防湿テープ１７を、防湿層４の連続性を損なわせることなく、かつ、極めて容易に貼り付けることができる。しかも、下地材８には断熱材９が組み込まれて断熱構造となっているので、繊維系断熱層３に凹所７を設けることによる断熱性能の低下を防ぐないしは小さく抑えることができる。
【００２３】
以上に、本発明の実施形態を示したが、本発明はこれに限られるものではなく、発明思想を逸脱しない範囲で、各種の変更が可能である。例えば、上記の実施形態は、下地材８を断熱構造とするために金属や樹脂の溝形品に断熱材９を組み込む構造を採用しているが、発泡樹脂からなる溝形品で下地材を構成することで下地材を断熱構造にするのもよい。また、下地材８を奥行き方向へ動きを規制する態様で設置する手段として、上記のような態様に限らず、種々の手段が用いられてよい。更に、下地材８を繊維系断熱層３に押し付けることで防湿層４の背後に設置することができる場合は、凹所７の形成は省略するようにしてもよい。また、上記の実施形態では壁を対象としているが、本発明は、壁に限られるものではなく、要は、防湿層の背後に繊維系断熱層が存在し、防湿層に切込みを入れて配線をしなければならないような場合に広く用いることができるものである。
【００２４】
【発明の効果】
本発明は、以上のとおりのものであるから、防湿テープを、防湿層の連続性を損なわせることなく、かつ、極めて容易に貼り付けることができる。
【図面の簡単な説明】
【図１】実施形態の構造を示す要部分解斜視図である。
【図２】内装ボードを省略した状態の壁を示すもので、図（イ）は正面図、図（ロ）は図（イ）のＩ−Ｉ線断面図である。
【図３】図（イ）は下地材の斜視図、図（ロ−１）（ロ−２）は防湿補助板を示すもので、図（ロ−１）は分解斜視図、図（ロ−２）は斜視図、図（ハ）は防湿テープの斜視図である。
【図４】図（イ）及び図（ロ）は、図５乃至図７とともに、施工の手順を順次に示す斜視図である。
【図５】図（ハ）及び図（ニ）は同平面断面図である。
【図６】図（イ）及び図（ロ）は同斜視図である。
【図７】図（イ）及び図（ロ）は同斜視図である。
【図８】完成状態の平面断面図である。
【符号の説明】
１ａ…中桟
２ａ…半間仕切り縦桟
３…繊維系断熱層
４…防湿層
６…切込み
７…凹所
８…下地材
９…断熱材
１０…配線導通部
１７…防湿テープ
【図１】
0003916987.tif 000002
【図２】
0003916987.tif 000003
【図３】
0003916987.tif 000004
【図４】
0003916987.tif 000005
【図５】
0003916987.tif 000006
【図６】
0003916987.tif 000007
【図７】
0003916987.tif 000008
【図８】
0003916987.tif 000009